(57)【要約】【課題】ＶＭＷＩ機能に対応した電話機を用いることなく、ボイスメールサービスを利用した際の自分宛ての新たなメッセージが存在していることを簡単に確認することを可能にする。【解決手段】ケーブルモデム１０は、通信プロセッサ４０によって、ＲＦポート４４を通じて取得されるコールエージェント３０からのメッセージのうち、自宛てのボイスメールがボイスメールサービスを提供するボイスメールサーバに記録されていることを通知するメッセージを認識し、このメッセージが認識された場合にＶＭＷＩ−ＬＥＤ５４を点滅表示させることで、自宛てのボイスメールがあることをユーザに通知する。【選択図】　　図３
2004135060.tif 000002
【特許請求の範囲】
【請求項１】
電話機を接続可能なケーブルモデムにおいて、
接続された電話機宛のボイスメールがボイスメールサービスを提供するボイスメールサーバに記録されたことを通知するメッセージの受信を認識するメッセージ認識手段と、
このメッセージ認識手段により前記メッセージの受信が認識されたとき、ボイスメールの存在を報知するメッセージ報知手段とを具備したことを特徴とするケーブルモデム。
【請求項２】
電話機を接続可能なケーブルモデムにおいて、
接続された電話機宛のボイスメールがボイスメールサービスを提供するボイスメールサーバに記録されたことを通知するメッセージの受信を認識し、
この認識結果に基づいてボイスメールの存在を報知することを特徴とするボイスメールの報知方法。
【発明の詳細な説明】
【０００１】
【発明の属する技術分野】
本発明は、ＣＡＴＶ（Ｃａｂｌｅ　Ｔｅｌｅｖｉｓｉｏｎ）網などに接続して使用されるケーブルモデム、ボイスメールの報知方法に関する。
【０００２】
【従来の技術】
近年のインターネット、イントラネットの発展によりネットワーク上のデータトラヒックは急激に増大し、その傾向は現在も続いている。この傾向に対しネットワークの高速化の要求は強く、基幹ネットワーク、エンドユーザまでのラストワンマイルなどで、さまざまな高速データ通信サービスが展開されている。ラストワンマイルの高速データ通信サービスの一つとして、ケーブルモデムが北米を中心に広く普及している。この高速データ通信サービスを利用して、ＶｏＩＰ　（Ｖｏｉｃｅ　ｏｖｅｒ　Ｉｎｔｅｒｎｅｔ　Ｐｒｏｔｏｃｏｌ）技術を利用しての電話サービスが展開されようとしていて、米国では、北米のＣＡＴＶ事業者による研究開発コンソーシアムにより標準仕様（ＰａｃｋｅｔＣａｂｌｅ）が策定され、各ベンダーの電話サービスにおける共用性が確保され、サービスが始まろうとしている。
【０００３】
電話サービスでは、現在のアナログ電話のネットワークＰＯＴＳ（Ｐｌａｉｎ　Ｏｌｄ　Ｔｅｌｅｐｈｏｎｅ　Ｓｅｒｖｉｓｅ）で使用されているアナログの電話機がそのまま使用されるため、電話機を収容するＶｏＩＰ対応ケーブルモデム（前述した標準仕様では、Ｅ−ＭＴＡ（Ｅｍｂｅｄｄｅｄ−Ｍｕｌｔｉｍｅｄｉａ　Ｔｅｒｍｉｎａｌ　Ａｄａｐｅｔｅｒ）と呼ぶ）のインタフェース仕様は、その国のＰＯＴＳにおけるインタフェースの仕様に準拠しなければならない。そして、これまでＰＯＴＳで提供されていた機能は全て提供しなければならない。
【０００４】
ＰＯＴＳで提供されていたサービスの一つに、ボイスメールサービスがある。このサービスは、不在時、他者との通話時に電話が掛かってきた場合に、通信事業者が持つメールサーバで音声によるメッセージ（ボイスメール）を預かるサービスである。メールサーバは、伝言を預かると伝言を預かっていることをユーザに知らせるために、電話機にＶＭＷＩ（ｖｉｓｕａｌ　Ｍｅｓｓａｇｅ　Ｗａｉｔｉｎｇ　Ｉｎｄｉｃａｔｏｒ）メッセージを送る。このＶＭＷＩメッセージは、ＦＳＫ　（Ｆｒｅｑｕｅｎｃｙ　Ｓｈｉｆｔ　Ｋｅｙ）方式で変調された信号により電話機に通知されるもので、この信号は発呼者の番号を通知する発信元電話番号表示サービス（米国、欧州ではＣａｌｌｅｒ　ＩＤサービス、Ｃａｌｌｉｎｇ　Ｌｉｎｅ　ＩＤサービスなど）での番号通知にも使用されている。
【０００５】
電話機がＶＭＷＩに対応しており、ユーザに通知（報知）するためのＬＥＤ等が実装していれば、電話機は、ＶＭＷＩメッセージを受け取ると、ＬＥＤを点滅させメッセージの存在をユーザに知らせる。
【０００６】
また、メッセージの存在を知らせる機能としては、ＭＷＩ（Ｍｅｓｓａｇｅ　Ｗａｉｔｉｎｇ　Ｉｎｄｉｃａｔｏｒ）トーンがある。これは、ユーザが受話器を上げると、ダイアルトーンにＭＷＩトーンを混ぜることにより、メッセージの存在を知らせる機能である。しかし、ＭＷＩトーンではユーザが受話器を取り、ＭＷＩトーンを聞かなくてはメッセージの存在を確認できない。
【０００７】
ボイスメールサービスは、北米、欧州では広く広がっているものの、発信元電話番号表示サービスに対応しているもののＶＭＷＩに対応していない電話機が多く普及している。また、ＶＭＷＩ機能を実装したケーブルモデムは存在していない。
【０００８】
【発明が解決しようとする課題】
このように従来では、ボイスメールサービスを利用する際に、自宛てのメッセージが存在しているかを確認するためには、ＶＭＷＩに対応した電話機を用いてＶＭＷＩのＬＥＤの点滅表示により確認するか、ＶＭＷＩに対応していない電話機であれば受話器を通じてＭＷＩトーンを聞くといった操作性の悪い確認をするしかなかった。
【０００９】
本発明は前記のような事情を考慮してなされたもので、ＶＭＷＩ機能に対応した電話機を用いることなく、ボイスメールサービスを利用した際の自分宛ての新たなメッセージが存在していることを簡単に確認することが可能なケーブルモデム、及びボイスメールの報知方法を提供することを目的とする。
【００１０】
【課題を解決するための手段】
本発明は、電話機を接続可能なケーブルモデムにおいて、接続された電話機宛のボイスメールがボイスメールサービスを提供するボイスメールサーバに記録されたことを通知するメッセージの受信を認識するメッセージ認識手段と、このメッセージ認識手段により前記メッセージの受信が認識されたとき、ボイスメールの存在を報知するメッセージ報知手段とを具備したことを特徴とする。
【００１１】
【発明の実施の形態】
以下、図面を参照して本発明の実施の形態について説明する。図１は本実施形態に係わるケーブルモデム１０が用いられるＶｏＩＰシステム構成を示すブロック図である。
【００１２】
本実施形態におけるケーブルモデム１０は、例えば家庭内などに設置されて使用されるもので、ＤＯＣＳＩＳ（Ｄａｔａ　Ｏｖｅｒ　Ｃａｂｌｅ　Ｓｅｒｖｉｃｅ　Ｉｎｔｅｒｆａｃｅ　Ｓｐｅｃｉｆｉｃａｔｉｏｎｓ）プロトコルをサポートし、ＣＡＴＶ網と接続して高速データサービス及びＶｏＩＰによる電話サービスを実現するものとする。ＶｏＩＰ対応のケーブルモデム１０は、例えばＥ−ＭＴＡ（Ｅｍｂｅｄｄｅｄ−Ｍｕｌｔｉｍｅｄｉａ　Ｔｅｒｍｉｎａｌ　Ａｄａｐｅｔｅｒ）とも呼ばれる。本実施形態では、電話機１２がＶＭＷＩ機能をサポートしていなくてもボイスメールサービスを利用した場合に、自分宛の新たなメッセージが存在していることを通知することができる機能を提供する。
【００１３】
ケーブルモデム１０は、電話機１２を接続するためのアナログインタフェース、パーソナルコンピュータ１４を接続するためのＰＣインタフェースなどが設けられている。また、ケーブルモデム１０は、ＣＡＴＶ網１６と接続するためのＣＡＴＶ（Ｃａｂｌｅ　Ｔｅｌｅｖｉｓｉｏｎ）ネットワークインタフェースが設けられている。ケーブルモデム１０は、ＣＡＴＶ網１６を介してＣＡＴＶ網１６に接続されている他のケーブルモデム１７に接続されている（このケーブルモデム１７は、ケーブルモデム１０と同じものである）。このケーブルモデム１７には、電話機１２が接続されている。従って、ケーブルモデム１０とケーブルモデム１７のＶｏＩＰ機能を用いることにより、ケーブルモデム１０に接続された電話機１２とケーブルモデム１７に接続された電話機１２とは、相互に通話することができる。
【００１４】
また、ケーブルモデム１０は、ＣＡＴＶ網１６、ＨＦＣ（Ｈｙｂｒｉｄ　Ｆｉｂｅｒ　Ｃｏａｘｉａｌ）１８、Ｄ−Ｈｕｂ（Ｄｉｓｔｒｉｂｕｔｉｏｎ　Ｈｕｂ）２０に設けられているＣＭＴＳ（Ｃａｂｌｅ　Ｍｏｄｅｍ　Ｔｅｒｍｉｎａｔｉｏｎ　Ｓｙｓｔｅｍ）２０ａと接続されている。
【００１５】
ＣＭＴＳ２０ａは、ケーブルモデム終端装置、ヘッドエンドモデム、ケーブルルータ等と呼ばれるもので、バックボーンネットワーク２２を介してヘッドエンドシステム２４、インターネット２６と接続される。ヘッドエンドシステム２４には、ボイスメールサーバ２８、プロビジョニングサーバ２９、コールエージェント３０、ＰＳＴＮゲートウェイ３２などが含まれる。
【００１６】
ボイスメールサーバ２８は、ボイスメールサービスを提供するもので、コールエージェント３０により発信側電話機と呼が接続された場合に、この電話機からの音声をボイスメールとして記録する機能を持つ。
【００１７】
プロビジョニングサーバ２９は、データサービスを提供するための制御を司るもので、各種プロトコル（例えば、ＤＨＣＰ（Ｄｙｎａｍｉｃ　Ｈｏｓｔ　Ｃｏｎｆｉｇｕｒａｔｉｏｎ　Ｐｒｏｔｏｃｏｌ）／ＴＦＴＰ（Ｔｒｉｖｉａｌ　Ｆｉｌｅ　Ｔｒａｎｓｆｅｒ　Ｐｒｏｔｏｃｏｌ）／ＳＮＭＰ（Ｓｉｍｐｌｅ　Ｎｅｔｗｏｒｋ　Ｍａｎａｇｅｍｅｎｔ　Ｐｒｏｔｏｃｏｌ））などによる通信制御を行う。
【００１８】
コールエージェント３０は、ケーブルモデム１０を制御するもので、ケーブルモデム間あるいはケーブルモデム１０とＰＳＴＮゲートウェイ３２との間の通話チャネルの確立／解放等のシグナリング処理を実行する機能を持つ。また、コールエージェント３０は、着信側の電話機がボイスメールサーバ２８が提供するボイスメールサービスを利用するためにボイスメール設定がされている場合には、この電話機（ケーブルモデム１０）に対する通話要求（電話番号通知）があった時、他の相手との通話中、あるいは所定時間が経過してもオフフック検出通知がなければ、通話要求元の電話機とボイスメールサーバ２８とを接続させて、ボイスメールサーバ２８に音声メッセージをボイスメールとして記録させることができる。この時、コールエージェント３０は、着信側のケーブルモデム１０に対して、ボイスメールサーバ２８にメッセージが記録されたことを通知するメッセージを送信する。
【００１９】
ＰＳＴＮゲートウェイ３２は、公衆電話回線網（ＰＳＴＮ：Ｐｕｂｌｉｃ　Ｓｗｉｔｃｈｅｄ　Ｔｅｌｅｐｈｏｎｅ　Ｎｅｔｗｏｒｋ）３４とデジタルネットワーク網との間でシグナリング及び音声データのアナログデジタル変換を行う。ＰＳＴＮゲートウェイ３２は、デジタルネットワーク網の電話機（ケーブルモデム１７に接続された電話機１２）と公衆電話回線網３４の電話機３６との間で通話する場合にパケット交換と回線交換のプロトコル変換を行う。
【００２０】
ケーブルモデム１０に接続された電話機１２には電話番号が、ケーブルモデム１０にはＩＰアドレスが予め設定されている。電話機１２において接続先の電話番号がダイヤルされると、ケーブルモデム１０は、ダイヤル番号をコールエージェント３０に通知する。コールエージェント３０は、ケーブルモデム１０から通知されたダイヤル番号をもとに、着信先がケーブルモデム１０であるかＰＳＴＮゲートウェイ３２であるかを判断し、発信元のケーブルモデム１０に着信先のケーブルモデム１０あるいはＰＳＴＮゲートウェイ３２のＩＰアドレスを通知する。発信元のケーブルモデム１０は、コールエージェント３０から通知された着信先のＩＰアドレスで直接、呼を確立してＶｏＩＰによる音声パケットが流れるようにして会話が可能な状態にする。
【００２１】
図２には、本実施形態におけるケーブルモデム１０の外観構成を示している。本実施形態におけるケーブルモデム１０には、動作状態を使用者に通知するための複数の表示器、例えばＬＥＤが実装されており、ボイスメールサーバ２８に自宛ての新規のメッセージが記録されていることを通知するためのＶＭＷＩ−ＬＥＤ５４が設けられている（図２中の「ＶＭＷＩ１」「ＶＭＷＩ２」のＬＥＤ）。
【００２２】
図３には、ケーブルモデム１０の機能構成を示している。図３に示すように、ケーブルモデム１０において、全体の制御を司る通信プロセッサ４０は、ケーブルＭＡＣ（Ｍｅｄｉａ　Ａｃｃｅｓｓ　Ｃｏｎｔｒｏｌ）＋ＰＨＹ（Ｐｈｙｓｉｃａｌ　Ｌａｙｅｒ　Ｐｒｏｔｏｃｏｌ）４２、ＲＦポート４４を介してＣＡＴＶ網１６（ＨＦＣ１８）と接続され、ネットワークＰＨＹ４６、ネットワークポート４８を介してネットワークケーブルと接続され、ＳＬＩＣ（Ｓｕｂｓｃｒｉｂｅｒ　Ｌｉｎｅ　Ｉｎｔｅｒｆａｃｅ　Ｃｉｒｃｕｉｔ）５０、電話ポート５２を介して電話線と接続される。通信プロセッサ４０は、ＲＦポート４４を通じて接続される通信相手と、ネットワークポート４８を通じて接続されるパーソナルコンピュータ１４あるいは電話ポート５２を通じて接続される電話機１２との間のた通信を制御する。
【００２３】
通信プロセッサ４０は、通信プログラム（図示せず）を実行することにより、電話ポート５２を通じて接続される電話機１２とＲＦポート４４を通じて接続され通話先との間で、音声通話を実現するために、音声情報をパケット化して送受信するためのＶｏＩＰ関連プロトコル処理を実行する。
【００２４】
また、通信プロセッサ４０は、通信プログラムに含まれる通知出力プログラムに従い、ＲＦポート４４を通じて、ボイスメールサーバ２８に新規のメッセージが存在することを通知するイベントメッセージを認識し、このメッセージが受信されたことを認識できた場合に、ＶＭＷＩ−ＬＥＤ５４を点滅させてユーザに通知する機能が設けられている。
【００２５】
次に、本実施形態におけるボイスメールサービスを利用する場合のケーブルモデム１０に設けられたＶＭＷＩ−ＬＥＤ５４に対する制御動作について説明する。
ここでは、図４に示すボイスメールサービスを提供するシステム上で、電話機Ｂ３６から電話機Ａ１２への音声メッセージ（ボイスメール）をボイスメールサーバ２８によりボイスメールとして記録する場合について説明する。図５には、電話機Ｂ３６から電話機Ａ１２に対して通話要求をする場合のシーケンスを示す図である。なお、着信側の電話機Ａ１２では、ボイスメールサーバ２８が提供しているボイスメールサービスを利用する設定をしているものとする。
【００２６】
まず、図２中の公衆電話回線網３４に直接接続されている電話機Ｂ３６からＣＡＴＶ網１６側の電話機Ａ１２に電話を掛けることにより、コールエージェント３０に接続相手（電話機Ａ１２）の電話番号が通知される（図５（１））。
【００２７】
コールエージェント３０は、電話機Ｂ３６からの電話番号通知に応じて、この電話番号を電話機Ａ１２が接続されたケーブルモデム１０のＩＰアドレスに変換し、バックボーンネットワーク２２、ＣＭＴＳ２０ａ、ＨＦＣ１８を介して、ケーブルモデム１０に対してリンギング要求、及びオフフック検出要求を出力する（図５（２））。
【００２８】
ケーブルモデム１０は、ボイスメールサーバ２８からの要求に応じて、電話ポート５２に接続された電話機Ａ１２に対してリンギングを行なう（図５（３））。
【００２９】
この時、例えば電話機Ａ１２の利用者が不在であったために、所定時間が経過してもオフフックされなかった場合、この電話機Ａ１２にボイスメールサービスを利用する設定がされているため、ボイスメールサーバ２８は、電話機Ｂ３６をボイスメールサーバ２８と接続される（図５（４））。
【００３０】
ボイスメールサーバ２８は、コールエージェント３０により電話機Ｂ３６と接続されると、この電話機Ｂ３６に対して、電話機Ａ１２宛ての音声メッセージの入力を促すためのメッセージ（音声ガイダンスなど）を送信する（図５（６））。
【００３１】
ここで、電話機Ｂ３６から音声が入力されると、ボイスメールサーバ２８は、電話機Ａ１２に対するボイスメールとして音声を記録する（図５（６））。ここで、例えば予め決められた一定時間分のメッセージが記録されると、ボイスメールサーバ２８は、コールエージェント３０に対して、発信元の電話機Ｂ３６によってメッセージ（ボイスメール）が記録されたことを通知する（図５（７））。
【００３２】
コールエージェント３０は、電話機Ａ１２へのメッセージがボイスメールサーバ２８に存在していることを通知するためのメッセージをケーブルモデム１０に対して送信する（図５（８））。ここでは、例えば、米国の研究開発コンソーシアムにより策定された標準仕様（ＰａｃｋｅｔＣａｂｌｅ）に規定されている、ＮＣＳ　（Ｎｅｔｗｏｒｋ−ｂａｓｅ　Ｃａｌｌｉｎｇ　Ｓｉｇｎａｌｌｉｎｇ）のイベント通知によりメッセージを通知する方法を用いることができる。ここでは、コールエージェント３０は、ＮＣＳで定義されているイベントコード「ｖｍｗｉ」のイベントメッセージにより通知する。
【００３３】
図６には、ケーブルモデム１０の通信プロセッサ４０における処理動作をフローチャートにより示している。
通信プロセッサ４０は、ＲＦポート４４、ケーブルＭＡＣ＋ＰＨＹ４２を通じて受信されたメッセージを識別し、それがボイスメールサーバ２８に自宛て（ここでは電話機Ａ１２宛て）の新規のボイスメールが登録されたことを示すイベントコード「ｖｍｗｉ」のイベントメッセージであることを認識すると（ステップＡ１）、ＳＬＩＣ５０に対してＶＭＷＩ（Ｖｉｓｕａｌ　Ｍｅｓｓａｇｅ　Ｗａｉｔｉｎｇ　Ｉｎｄｉｃａｔｏｒ）のＦＳＫ信号を生成命令を出力する（ステップＡ２）。これにより、ＳＬＩＣ５０は、ＦＳＫ信号によるＶＭＷＩメッセージを生成して、電話ポート５２を通じて該当する電話機１２Ａに出力する。電話機Ａ１２がＶＭＷＩ機能を搭載していれば、ケーブルモデム１０からのＶＭＷＩメッセージに応じて自身に設けられたＶＭＷＩのランプを点滅させる。なお、当然ながら、電話機Ａ１２がＶＭＷＩ機能を搭載していなければ、ＶＭＷＩメッセージに対する動作を何ら実行しない。
【００３４】
また、通信プロセッサ４０は、ＳＬＩＣ５０によってＶＭＷＩメッセージのＦＳＫ信号を生成、送信させた後、自身に設けられたＶＭＷＩ−ＬＥＤ５４を図２に示すように点滅させ、ボイスメールサーバ２８に新規のメッセージがあることをユーザに通知する（ステップＡ３）。
【００３５】
ユーザは、ケーブルモデム１０に設けられたＶＭＷＩ−ＬＥＤ５４が点滅されていることを確認することで、ボイスメールサーバ２８にメッセージが保存されていることを容易に把握することができる。ユーザは、電話機Ａ１２からコールエージェント３０を通じてボイスメールサーバ２８に接続し、自分宛に登録されたボイスメール（音声メッセージ）を取得することができる。
【００３６】
このようにして、電話機Ａ１２がＶＭＷＩ機能を搭載していなくても、ケーブルモデム１０によって、コールエージェント３０から通知される自宛ての音声メッセージ（ボイスメール）がボイスメールサーバ２８に登録されていることを示すメッセージが認識され、ＶＭＷＩ−ＬＥＤ５４の点滅表示によって通知される。従って、ボイスメールサービスを利用するために新たな電話機を購入するといった必要もない。
【００３７】
なお、前述した説明では、ケーブルモデム１０は、図３に示すように１つの電話ポート５２が設けられて１台の電話機１２が接続されるものとして説明しているが、複数の電話ポートを設けて複数台の電話機を接続できるように構成することができる。この場合、複数の電話ポート（電話機）のそれぞれに対応するＶＭＷＩ−ＬＥＤを設ける。そして、通信プロセッサ４０は、新規の音声メッセージがボイスメールサーバ２８に存在していることを通知するメッセージを各電話ポートに接続された電話機毎に認識し、この認識されたメッセージに応じて該当するＶＭＷＩ−ＬＥＤを点滅させて電話機毎に個別に通知する。例えば、図２では、２つの電話ポート５２（ＬＩＮＥ１，２）が設けられており、それぞれに接続される電話機に対応するＶＭＷＩ−ＬＥＤ５４（ＶＭＷＩ１，２）が設けられた例を示している。
【００３８】
また、ＶＭＷＩ−ＬＥＤ５４を点滅させることによって通知をしているが点灯させたり、あるいは他の表示出力手段を設けることも可能である。他の表示出力手段としては、ＬＥＤ以外のランプに類する出力デバイスを用いたり、液晶ディスプレイなどの表示装置を設けてメッセージを表示させたりするように構成することも可能である。
【００３９】
また、通信プロセッサ４０により実行される通信プログラム（通知出力プログラム）は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。本実施形態におけるケーブルモデム１０を実現する装置（コンピュータ）は、記録媒体に記録されたプログラムを読み込み、または通信媒体を介してプログラムを受信し、このプログラムによって動作が制御されることにより、上述した処理を実行する。
【００４０】
また、本願発明は、前述した実施形態に限定されるものではなく、実施段階ではその要旨を逸脱しない範囲で種々に変形することが可能である。さらに、前記実施形態には種々の段階の発明が含まれており、開示される複数の構成要件における適宜な組み合わせにより種々の発明が抽出され得る。例えば、実施形態に示される全構成要件から幾つかの構成要件が削除されても効果が得られる場合には、この構成要件が削除された構成が発明として抽出され得る。
【００４１】
【発明の効果】
以上詳述したように本発明によれば、ＶＭＷＩ機能を搭載した電話機を用いることなく、ボイスメールサービスを利用した際の自宛ての新たなメッセージが存在していることを確認することができる。
【図面の簡単な説明】
【図１】本実施形態に係わるケーブルモデム１０が用いられるＶｏＩＰシステム構成を示すブロック図。
【図２】本実施形態におけるケーブルモデム１０の外観構成を示す図。
【図３】本実施形態におけるケーブルモデム１０の機能構成を示すブロック図。
【図４】本実施形態の説明で用いるボイスメールサービスを提供するシステムを示す図。
【図５】本実施形態における電話機Ｂ３６から電話機Ａ１２に対して通話要求をする場合のシーケンスを示す図。
【図６】本実施形態におけるケーブルモデム１０の通信プロセッサ４０における処理動作を説明するためのフローチャート。
【符号の説明】
１０，１７…ケーブルモデム
１２，３６…電話機
１４…パーソナルコンピュータ（ＰＣ）
１６…ＣＡＴＶ網
１８…ＨＦＣ
２０…Ｄ−Ｈｕｂ
２０ａ…ＣＭＴＳ
２２…バックボーンネットワーク
２４…ヘッドエンドシステム
２６…インターネット
２８…ボイスメールサーバ
２９…プロビジョニングサーバ
３０…コールエージェント（ＣＡ）
３２…ＰＳＴＮゲートウェイ
３４…公衆電話回線網（ＰＳＴＮ）
４０…通信プロセッサ
４２…ケーブルＭＡＣ＋ＰＨＹ
４４…ＲＦポート
４６…ネットワークＰＨＹ
４８…ネットワークポート
５０…ＳＬＩＣ
５２…電話ポート
５４…ＶＭＷＩ−ＬＥＤ
【図１】
2004135060.tif 000003
【図２】
2004135060.tif 000004
【図３】
2004135060.tif 000005
【図４】
2004135060.tif 000006
【図５】
2004135060.tif 000007
【図６】
2004135060.tif 000008